(57)【特許請求の範囲】
【請求項１】
外周方向から内周方向に向かって反時計周りにデータトラックが生成された生成部と、前記生成部に記録されたデータフォーマット上のユーザデータエリアに物理的位置と時間情報とが対応した情報が記録された情報記録部と、を有する光記録媒体を再生する再生装置であって、
ある信号速度範囲でロック可能なＰＬＬを有し、
前記光記録媒体の再生を回転角速度一定で行う場合に、ピックアップを外周方向から内周方向に移動させ、前記ＰＬＬのロック信号をモニタし、ロック可能なＶＣＯの低速側の限界を特定することを特徴とする再生装置。
【請求項２】
前記ユーザデータエリアには、ＰＬＬの発振周波数情報が記録されており、
前記光記録媒体の再生を回転角速度一定で行う場合に、前記発信周波数情報を基に、ロック可能なＶＣＯの低速側の限界周波数を特定することを特徴とする請求項１記載の再生装置。
【請求項３】
前記ユーザデータエリアには、前記光記録媒体のスピンドル回転周波数を変化させるための回転速度変更情報が記録されており、
前記回転速度変更情報に応じてスピンドルモータの回転速度を変更し、該変更した回転速度でロック可能なＶＣＯの低速側の限界を特定することを特徴とする請求項１または２記載の再生装置。
【発明の詳細な説明】
【０００１】
【発明の属する技術分野】
本発明は、レーザ光等により光学的に情報を記録再生する再生装置に関する。
【０００２】
【従来の技術】
図６は、ディスク記録再生装置の構成例を示すブロック図である。
このディスク記録再生装置は、ディスク３１と、スピンドルモータ３２と、ピックアップ３３と、ＲＦアンプ３４と、ＥＦＭ復調部３５と、ＣＤ−ＲＯＭデコーダ３６と、ＡＴＡＰＩ３７と、サーボプロセッサ３８と、ＣＰＵ３９と、フラッシュ４０と、ピックアップ、スピンドルドライバ４１とを有し構成される。
【０００３】
従来、光ディスクの情報を再生する機能を備えた上記光ディスク再生装置において、ＣＡＶ（回転角速度一定）の再生を行う場合、サーボプロセッサ３８は、スピンドルモータ３２から出力されるスピンドルＦＧ信号の間隔を一定に制御する。また、ＣＤの規格において、ディスク３１の情報は内周部から外周部へらせん状に線密度一定に記録する。このディスク３１を角速度ａで回転する場合、再生線速度はディスク３1 の半径位置Ｒに応じて２π×Ｒ×ａの速度となり、内周部から外周部に移動するに従い再生線速度は速くなる。例えばＣＤの場合は、内周部と外周部とではおよそ２. ５倍の速度差が生ずる。
【０００４】
図７は通常のディスクの断面構成を示す図である。
図７に示す通常のディスク３１は、反時計周りに、内周部から始まり外周部へ向かってデータトラック４６があり、再生を行うと時計方向に回転され、ピックアップ３３は内周部から外周部に向かって移動する（図７の４７）。角速度一定のＣＡＶ再生を行うと線速度はディスク３１の半径位置Ｒに比例して増加し、ディスク３１に線速度一定で記録されたＲＦ信号の周波数は増加する。このＲＦ信号は再生信号である。
【０００５】
図８は、ＤＩＳＫ半径と再生速度との関係を示し、ＤＩＳＫ半径Ｒ＝２５ｍｍの時に再生速度が、４ｘＣＡＶ再生、１２ｘＣＡＶ再生、１４ｘＣＡＶ再生であるグラフが書かれており、角速度一定のＣＡＶ再生を行うと再生速度はディスク１の半径位置Ｒに比例して増加する。
【０００６】
再生信号を復調するＥＦＭ復調部３５は、比較的広い信号速度範囲でロック可能なＰＬＬ４２を備え、再生クロックを復調し、ＥＦＭ復調、ＣＩＲＣデコード等の処理を行う。
【０００７】
図９はＰＬＬの構成を示すブロック図である。
ＰＬＬ４２は、ＶＣＯ（Ｖｏｌｔａｇｅ  Ｃｏｎｔｒｏｌｌｅｄ  Ｏｓｃｉｌｌａｔｏｒ）４５と位相比較器４３と分周器４４とを有し構成される。ここで、ＶＣＯ４５の特性が、ＣＡＶ再生の信号スピードの内周部と外周部との速度差（およそ２. ５倍）をロック可能とすれば、ＣＡＶ（回転角速度一定）でディスク３１の内周部から外周部まで、ＰＬＬ４２内部にある分周器４４の切り替え無しに再生できる。
【０００８】
また、信号速度範囲がもっと広い範囲でロック可能な特性であれば、再生倍速を切り替えても何らＣＰＵ３９による制御をせずに再生が可能となる。
【０００９】
このようにＶＣＯ４５の特性は、再生速度の変化、変更にとって大きな影響を与え、このＶＣＯ４５の特性を調べることがこのＥＦＭ復調部３５の性能にとって重要である。
【００１０】
ＶＣＯ４５の特性は、ＲＦ信号の入力周波数に対しロック可能な範囲で示される。この範囲を調べる際に、再生速度をある倍速に設定しＣＡＶ再生を行うと線速が順次増加する。この時、内周部でロック可能な倍速に設定すると、内周部で再生が正常に行われたものが外周部に移動するに従い、ある所定の時間が経つとロックがはずれ、ロック可能な高速側限界を知ることができる。
【００１１】
一方、低速側の限界を知るには、外周部において、ロック可能な倍速に設定して再生し、その後、シーク量を少しずつ増加して内周部にピックアップ３３をジャンプして、そのジャンプの度に引き込み処理を行いＶＣＯ３５のロックが出来るか否かを調べる必要があった。
【００１２】
また、本発明の先願発明例として、ＤＶＤディスクをディスク再生装置にセットさせてＤＶＤディスクが時計方向に回転された際、ディスク再生装置に装着されたピックアップの再生点はディスクの内周部から外周部に順次移動し、このディスク再生装置にＤＶＤディスクを裏がけされたときにピックアップの再生点は外周部から内周部に移動する。その結果、アドレス情報の連続性が確保されないことになりアドレスの連続性からディスクが裏がけされたか否かを判定することを可能とする技術が特開平１０−１３４４９９号公報の「ディスク記録再生装置および方法」に開示されている。
【００１３】
本発明は上記事情に鑑みてなされたものであり、ピックアップ３３のジャンプすることなしに継続的にＶＣＯ３５の低速側の限界を知ることの出来る再生装置を提供することを目的とする。
【００１４】
【課題を解決するための手段】
かかる目的を達成するために、本発明は以下の特徴を有することとする。
本発明にかかる再生装置は、
外周方向から内周方向に向かって反時計周りにデータトラックが生成された生成部と、前記生成部に記録されたデータフォーマット上のユーザデータエリアに物理的位置と時間情報とが対応した情報が記録された情報記録部と、を有する光記録媒体を再生する再生装置であって、
ある信号速度範囲でロック可能なＰＬＬを有し、
前記光記録媒体の再生を回転角速度一定で行う場合に、ピックアップを外周方向から内周方向に移動させ、前記ＰＬＬのロック信号をモニタし、ロック可能なＶＣＯの低速側の限界を特定することを特徴とする。
【００１５】
また、本発明にかかる再生装置において、
前記ユーザデータエリアには、ＰＬＬの発振周波数情報が記録されており、
前記光記録媒体の再生を回転角速度一定で行う場合に、前記発信周波数情報を基に、ロック可能なＶＣＯの低速側の限界周波数を特定することを特徴とする。
【００１６】
また、本発明にかかる再生装置において、
前記ユーザデータエリアには、前記光記録媒体のスピンドル回転周波数を変化させるための回転速度変更情報が記録されており、
前記回転速度変更情報に応じてスピンドルモータの回転速度を変更し、該変更した回転速度でロック可能なＶＣＯの低速側の限界を特定することを特徴とする。
【００１７】
【発明の実施の形態】
以下、添付図面を参照しながら本発明にかかる実施の形態を詳細に説明する。図１は、ディスク記録再生装置の構成例を示すブロック図であり、このディスク記録再生装置は、ディスク１と、スピンドルモータ２と、ピックアップ３と、ＲＦアンプ４と、ＥＦＭ復調部５と、ＣＤ−ＲＯＭデコーダ６と、ＡＴＡＰＩ７と、サーボプロセッサ８と、ＣＰＵ９と、フラッシュ１０と、ピックアップ、スピンドルドライバ１１とを有し構成される。以下に各機能の処理動作の概要を説明する。なお以下の処理動作は一例でありこれに限定されるわけではい。
【００１８】
ディスク１は、スピンドルモータ２により所定の速度で回転する。ピックアップ３は、内部にレーザダイオードとフォトダイオードとを内蔵しており、レーザダイオードが発生した記録再生用の光としてレーザ光をディスクに照射し、フォトダイオードでディスクからの反射光を受光する。ＲＦアンプ４は、ＲＦ信号の周波数を増幅する。
【００１９】
ＥＦＭ復調部５は、再生信号を復調する。また比較的広い信号速度範囲でロック可能なＰＬＬ１２を備え、再生クロックを復調し、ＥＦＭ復調、ＣＩＲＣデコード、サブコード復調等の処理を行う。
【００２０】
ＣＤ−ＲＯＭデコーダ６は、エラーレートを出力する。ＡＴＡＰＩ（ＡＴ  Ａｔｔａｃｈｍｅｎｔ  Ｐａｃｋｅｔ  Ｉｎｔｅｒｆａｃｅ）７は、ＡＴＡＰＩ用の信号にデータを変換するインタフェースである。
【００２１】
ピックアップ、スピンドルドライバ１１は、フォーカス制御信号とトラッキング制御信号とに対応して、ピックアップ３をフォーカス方向またはトラッキング方向に駆動する。また、スピンドルモータ２を制御する。
【００２２】
サーボプロセッサ８は、スピンドルモータ２から出力されるスピンドルＦＧ信号の間隔を一定に制御する。
【００２３】
図２はＰＬＬの構成を示すブロック図である。
ＰＬＬ１２は、ＶＣＯ（Ｖｏｌｔａｇｅ  Ｃｏｎｔｒｏｌｌｅｄ  Ｏｓｃｉｌｌａｔｏｒ）１５と位相比較器１３と分周器１４とを有し構成される。ここで、ＶＣＯ１５の特性がＣＡＶ再生の信号スピードの内周部と外周部との速度差（およそ２. ５倍）をロック可能とすれば、ＣＡＶ（回転角速度一定）でディスク１の内周部から外周部までＰＬＬ１２内部にある分周器１４の切り替え無しに再生できる。
【００２４】
図３は本発明にかかるディスクの断面構成を示す図である。
このディスク１上のデータトラック１６には、反時計周りに外周部から内周部へ向かいデータが記録されている。
【００２５】
図４はディスク１のデータ領域の一例を示す図であり、このデータは、２４バイト×９８フレーム＝２３５２バイトの容量を持っており、その振り分けとして同期（１２バイト）、ヘッダ（４バイト）、データ領域１８（２０４８バイト）、補助データ（２８８バイト）とする。またヘッダは、ブロックアドレス（３バイト）とモード（１バイト）とを有し、ブロックアドレスは、分（１バイト）、秒（１バイト）、ブロック（１バイト）を有してなる。データ領域１８は、時間情報１９と回転情報２０とＶＣＯ情報２１とその他情報とを有してなる。補助データは、ＥＤＣ（４バイト）、ＥＤＣ（８バイト）、ＥＣＣ（２７６バイト）を有してなる。
【００２６】
このディスク１のデータフォーマット上のデータ領域１８に半径位置Ｒに応じた時間情報１９を記録する。
【００２７】
上記ディスク記録再生装置を用いて、反時計周りに外周部から始まり内周部へ向かって記録されたデータトラック１６を生成した、図３に示すディスク１の再生を行うと時計方向に回転され、ピックアップ３は、外周部から内周部へ移動する（図３の１７）。その際ＣＡＶ再生を行うと線速度は図５に示すようにそのディスク１の半径位置Ｒに比例して減少し、再生信号であるＲＦ信号の周波数は低下する。
【００２８】
このディスク１を用いると、度々ディスク1 の内周部へピックアップ３をジャンプさせロックさせなくてもＰＬＬ１２のロック信号をモニタしているだけでＶＣＯの低速側の限界を知ることが出来る。
【００２９】
このディスク１のデータフォーマット上のデータ領域１８に、半径位置Ｒに応じた時間情報１９を記録することによりディスク１を再生すると、通常ディスクにおいてどの位置から再生可能かを知ることが出来る。
【００３０】
また、ＰＬＬ１２のロック信号を見なくてもＣＤ−ＲＯＭデコーダ等から出力されるエラーレートを判断基準とすることも可能である。
【００３１】
また、ディスク１のデータ領域１８に、ロックしているＶＣＯでの周波数を記録することによりＶＣＯがどの周波数まで低速側でロックするか一目で知ることが出来る。
【００３２】
また、ディスク1 のデータ領域１８に回転情報を記録し、記録した情報をＣＰＵ９が認識し、その回転情報に応じてスピンドルモータ２の回転速度を変更するようにＣＰＵ９のファームウエアを対応させることで、任意の速度でのＶＣＯ１５の特性を調べることが出来る。
【００３３】
なお、本発明にかかる光記録媒体は、上述する実施形態に限定されるものではなく、種々変形実施可能である。例えば光記録媒体として、ＣＤ−ＲＯＭ、ＤＶＤ−ＲＯＭ、ＣＤ−Ｒ、ＤＶＤ−Ｒ、ＣＤ−ＲＷ、ＤＶＤ−ＲＷ等が挙げられ、テストディスクとして用いることも可能である。
【００３４】
【発明の効果】
以上の説明より明らかなように、本発明によれば、ＣＡＶ再生を行うとＰＬＬ１２に入力されるＲＦ信号の周波数が順次小さくなるので、ＰＬＬ１２内のＶＣＯ１５の遅い方の限界特性を知ることが出来る。この時、ユーザデータエリア１８に記録した時間情報を照らし合わせることにより、通常ディスクの内周のどの絶対時間位置あたりからロック可能か、あるいはエラーレートが許容範囲で再生可能かを簡便に知ることが出来る。
【００３５】
また、本発明によれば、光記録媒体１のユーザデータエリア１８に書かれた周波数情報によりＣＡＶ再生を行うとＶＣＯ１５の低速側の限界周波数を知ることが出来る。
【００３６】
また、本発明によれば、光記録媒体１のユーザデータエリア１８に書かれた回転周波数情報により再生倍速を変更することで、広い範囲の周波数にわたってＰＬＬ１２がロック状態、あるいはエラーレートが許容範囲で再生可能かを知ることが出来る。また、応用としてエラーレートの悪化を所定のしきい値で検知しながら周波数変更情報にある周波数に回転速度を変化させることにより速度変化を伴う低速側の限界周波数を知ることが出来る。
【図面の簡単な説明】
【図１】ディスク記録再生装置の構成例を示すブロック図である。
【図２】ＰＬＬの構成を示すブロック図である。
【図３】本発明にかかるディスクの断面構成を示す図である。
【図４】本発明にかかるディスクのデータ領域の一例を示す図である。
【図５】ＤＩＳＫ半径と再生速度との関係を示す図である。
【図６】ディスク記録再生装置の構成例を示すブロック図である。
【図７】通常のディスクの断面構成を示す図である。
【図８】ＤＩＳＫ半径と再生速度との関係を示す図である。
【図９】ＰＬＬの構成を示すブロック図である。
【符号の説明】
１  ディスク
２  スピンドルモータ
３  ピックアップ
４  ＲＦアンプ
５  ＥＦＭ復調部
６  ＣＤ−ＲＯＭデコーダ
７  ＡＴＡＰＩ
８  サーボプロセッサ
９  ＣＰＵ
１０  フラッシュ
１１  ピックアップ、スピンドルドライバ
１２  ＰＬＬ
１３  位相比較器
１４  分周器
１５  ＶＣＯ
１６  データトラック
１８  データ
１９  時間情報
２０  回転情報
２１  ＶＣＯ情報
【図１】
0004120770.tif 000002
【図２】
0004120770.tif 000003
【図３】
0004120770.tif 000004
【図４】
0004120770.tif 000005
【図５】
0004120770.tif 000006
【図６】
0004120770.tif 000007
【図７】
0004120770.tif 000008
【図８】
0004120770.tif 000009
【図９】
0004120770.tif 000010